(57)【要約】【課題】イメージログ機能を有するプリントシステムにおいて、記憶容量の増大を防止するとともに、地紋画像による牽制効果を保つことを可能にする印刷制御プログラムおよび装置を提供する。【解決手段】地紋画像がデジタルデータに解析不可能な場合、印刷データと地紋画像とを保管し、地紋画像がデジタルデータに解析可能な場合、解析したデジタルデータを保管し、デジタルデータの暗号化が必要な場合、暗号化したデジタルデータを保管し、デジタルデータの内容が印刷禁止属性を示す場合、印刷データとデジタルデータを破棄し、画質調整した印刷データを保管し、または履歴データを保管する。再印刷の指示の受付時、デジタルデータの内容の変換の指示を受け付けた場合はデジタルデータの内容を変換して再印刷を行い、デジタルデータの暗号化が必要な場合は暗号化して再印刷を行い、デジタルデータの内容が印刷禁止属性を示す場合は種々の禁止処理を行う。【選択図】図１
2008146458.tif 000002
【特許請求の範囲】
【請求項１】
通信手段を介して接続するクライアントからの印刷ジョブを受け付ける処理と、
前記受け付けた印刷ジョブを前記通信手段を介して接続するプリンタに送信する処理と、
前記印刷ジョブに含まれる印刷対象の印刷データに地紋画像が付加されている場合、該印刷データと地紋画像とを分離する処理と、
前記分離した印刷データおよび地紋画像を保管手段に保管する処理と
をコンピュータに動作させることを特徴とする印刷制御プログラム。
【請求項２】
前記地紋画像がデジタルデータに解析可能な場合、該地紋画像から該デジタルデータを解析する処理と、
前記地紋画像の代わりに前記解析したデジタルデータを前記保管手段に保管する処理と
をコンピュータに動作させることを特徴とする請求項１記載の印刷制御プログラム。
【請求項３】
前記デジタルデータを暗号化する処理と、
前記デジタルデータの代わりに前記暗号化したデジタルデータを前記保管手段に保管する処理と
をコンピュータに動作させることを特徴とする請求項２記載の印刷制御プログラム。
【請求項４】
前記デジタルデータの内容に応じて該デジタルデータおよび前記印刷データの前記保管手段への保管を禁止する処理
をコンピュータに動作させることを特徴とする請求項２記載の印刷制御プログラム。
【請求項５】
前記デジタルデータの内容に応じて前記印刷データの画質を調整する処理と、
前記印刷データの代わりに前記前記画質を調整した印刷データを前記保管手段に保管する
ことを特徴とする請求項２記載の印刷制御プログラム。
【請求項６】
前記デジタルデータの内容に応じて前記印刷データおよび前記デジタルデータの代わりに前記印刷ジョブに関する履歴データを前記保管手段に保管する
ことを特徴とする請求項２記載の印刷制御プログラム。
【請求項７】
前記クライアントから再印刷の指示を受け付けた際に、前記保管手段から該再印刷が指示された前記印刷データおよび前記デジタルデータを取得する処理と、
前記取得したデジタルデータに基づいて地紋画像を生成する処理と、
前記生成した地紋画像および前記取得した印刷データに基づいて印刷ジョブを生成する処理と
をコンピュータに動作させることを特徴とする請求項２記載の印刷制御プログラム。
【請求項８】
前記再印刷の指示とともに前記デジタルデータの内容の変換の指示を受け付けた際に、前記取得したデジタルデータの内容を該変換の指示に従って変換する処理
をコンピュータに動作させることを特徴とする請求項７記載の印刷制御プログラム。
【請求項９】
前記取得したデジタルデータを暗号化する処理
をコンピュータに動作させることを特徴とする請求項７記載の印刷制御プログラム。
【請求項１０】
前記取得したデジタルデータの内容を解析する処理と、
前記解析したデジタルデータの内容に応じて前記印刷データに対する禁止処理を実施する処理と
をコンピュータに動作させることを特徴とする請求項７記載の印刷制御プログラム。
【請求項１１】
前記禁止処理は、
前記印刷データの再印刷の禁止、該印刷データを不可読な状態で出力、該印刷データを一部不可読な状態で出力することである
ことを特徴とする請求項１０記載の印刷制御プログラム。
【請求項１２】
前記再印刷を指示したユーザ毎に対応した禁止処理を実施する処理
をコンピュータに動作させることを特徴とする請求項１０記載の印刷制御プログラム。
【請求項１３】
前記デジタルデータの内容は、
印刷禁止属性を示すものである
ことを特徴とする請求項４または５または６または１０記載の印刷制御プログラム。
【請求項１４】
通信手段を介して接続するクライアントからの印刷ジョブを受け付ける受付手段と、
前記受付手段で受け付けた印刷ジョブを前記通信手段を介して接続するプリンタに送信する印刷ジョブ送信手段と、
前記印刷ジョブに含まれる印刷対象の印刷データに地紋画像が付加されている場合、該印刷データと地紋画像とを分離する分離手段と、
前記分離手段で分離した印刷データおよび地紋画像を保管する保管手段と
を具備することを特徴とする印刷制御装置。
【請求項１５】
前記地紋画像がデジタルデータに解析可能な場合、該地紋画像から該デジタルデータを解析する地紋画像解析手段
を更に具備し、
前記保管手段は、
前記地紋画像の代わりに前記地紋解析手段で解析したデジタルデータを保管する
ことを特徴とする請求項１４記載の印刷制御装置。
【請求項１６】
前記デジタルデータを暗号化する暗号化手段
を更に具備し、
前記保管手段は、
前記デジタルデータの代わりに前記暗号化手段で暗号化したデジタルデータを保管する
ことを特徴とする請求項１５記載の印刷制御装置。
【請求項１７】
前記デジタルデータの内容に応じて該デジタルデータおよび前記印刷データの前記保管手段への保管を禁止する保管制御手段
を更に具備することを特徴とする請求項１５記載の印刷制御装置。
【請求項１８】
前記デジタルデータの内容に応じて前記印刷データの画質を調整する画質調整手段
を更に具備し、
前記保管手段は、
前記印刷データの代わりに前記画質調整手段で前記画質を調整した印刷データを保管する
ことを特徴とする請求項１５記載の印刷制御装置。
【請求項１９】
前記保管手段は、
前記デジタルデータの内容に応じて前記印刷データおよび前記デジタルデータの代わりに前記印刷ジョブに関する履歴データを保管する
ことを特徴とする請求項１５記載の印刷制御装置。
【請求項２０】
前記受付手段が前記クライアントから再印刷の指示を受け付けた際に、前記保管手段から該再印刷が指示された前記印刷データおよび前記デジタルデータを取得する取得手段と、
前記取得手段で取得したデジタルデータに基づいて地紋画像を生成する地紋画像生成手段と、
前記地紋画像生成手段で生成した地紋画像および前記取得手段で取得した印刷データに基づいて印刷ジョブを生成する印刷ジョブ生成手段と
を更に具備することを特徴とする請求項１５記載の印刷制御装置。
【請求項２１】
前記受付手段が前記再印刷の指示とともに前記デジタルデータの内容の変換の指示を受け付けた際に、前記取得手段で取得したデジタルデータの内容を該変換の指示に従って変換する変換手段
を更に具備することを特徴とする請求項２０記載の印刷制御装置。
【請求項２２】
前記取得手段で取得したデジタルデータを暗号化する暗号化手段
を更に具備することを特徴とする請求項２０記載の印刷制御装置。
【請求項２３】
前記取得手段で取得したデジタルデータの内容を解析するデジタルデータ解析手段と、
前記デジタルデータ解析手段で解析したデジタルデータの内容に応じて前記印刷データに対する禁止処理を実施する禁止処理実施手段と
を更に具備することを特徴とする請求項２０記載の印刷制御装置。
【請求項２４】
前記禁止処理は、
前記印刷データの再印刷の禁止、該印刷データを不可読な状態で出力、該印刷データを一部不可読な状態で出力することである
ことを特徴とする請求項２３記載の印刷制御装置。
【請求項２５】
前記禁止処理実施手段は、
前記再印刷を指示したユーザ毎に対応した禁止処理を実施する
ことを特徴とする請求項２３記載の印刷制御装置。
【請求項２６】
前記デジタルデータの内容は、
印刷禁止属性を示すものである
ことを特徴とする請求項１７または１８または１９または２３記載の印刷制御装置。
【発明の詳細な説明】
【技術分野】
【０００１】
本発明は、印刷制御プログラムおよび装置に関する。
【背景技術】
【０００２】
近年、ＰＣ等で作成した印刷データを、プリンタを用いて印刷出力する際に、印刷データの背景に地紋と呼ばれる画像（以後、地紋画像と称する）を重ねて出力する技術が普及している。この地紋画像は、プリンタで出力した印刷物である原本においては単なる模様等に見えるが、複写等を行うと複写印刷物に所定の文字等が浮び上がるようなものであり、複写した者に牽制効果を与えることができる。
【０００３】
例えば、印刷データを印刷装置に格納させる指示をユーザから受けた場合、地紋パターンを付加した原稿の印刷回数や部数を制限することで、地紋プリントの原本保証性や心理的牽制効果を促進する印刷制御装置、印刷制御方法およびコンピュータプログラムがある（例えば、特許文献１参照。）。
【０００４】
また、ネットワーク上のＰＣから印刷依頼される印刷データをプリントサーバが一括して制御し、印刷履歴および再印刷のために印刷データを保管するイメージログ機能を有するプリントシステムが存在する。
【０００５】
例えば、実際のプリントアウトのイメージのプリントアウト履歴データを少ない容量で格納でき、かつ容易に確認できるようにするネットワークプリンタがある（例えば、特許文献２参照。）。
【特許文献１】特開２００５−１１１９５７号公報
【特許文献２】特開平１０−１８７３６４号公報
【発明の開示】
【発明が解決しようとする課題】
【０００６】
ここで、上記のようなプリントシステムにおいて、地紋画像付きの印刷を実施すると、オリジナルの印刷データとともに地紋画像も保管すると、保管する記憶容量が増大するという問題が発生し、例えば、地紋画像の解像度を落として保管することで、記憶容量の問題を解決することも可能であるが、再印刷で解像度を落とした地紋画像を使用することで、地紋画像が見えにくくなり、地紋画像による牽制効果が弱まるという新たな問題が発生してしまう。
【０００７】
そこで、本発明は、上記問題点を鑑みて、イメージログ機能を有するプリントシステムにおいて、記憶容量の増大を防止するとともに、地紋画像による牽制効果を保つことを可能にする印刷制御プログラムおよび装置を提供することを目的とする。
【課題を解決するための手段】
【０００８】
上記目的を達成するため、請求項１の発明は、通信手段を介して接続するクライアントからの印刷ジョブを受け付ける処理と、前記受け付けた印刷ジョブを前記通信手段を介して接続するプリンタに送信する処理と、前記印刷ジョブに含まれる印刷対象の印刷データに地紋画像が付加されている場合、該印刷データと地紋画像とを分離する処理と、前記分離した印刷データおよび地紋画像を保管手段に保管する処理とをコンピュータに動作させることを特徴とする。
【０００９】
また、請求項２の発明は、請求項１の発明において、前記地紋画像がデジタルデータに解析可能な場合、該地紋画像から該デジタルデータを解析する処理と、前記地紋画像の代わりに前記解析したデジタルデータを前記保管手段に保管する処理とをコンピュータに動作させることを特徴とする。
【００１０】
また、請求項３の発明は、請求項２の発明において、前記デジタルデータを暗号化する処理と、前記デジタルデータの代わりに前記暗号化したデジタルデータを前記保管手段に保管する処理とをコンピュータに動作させることを特徴とする。
【００１１】
また、請求項４の発明は、請求項２の発明において、前記デジタルデータの内容に応じて該デジタルデータおよび前記印刷データの前記保管手段への保管を禁止する処理をコンピュータに動作させることを特徴とする。
【００１２】
また、請求項５の発明は、請求項２の発明において、前記デジタルデータの内容に応じて前記印刷データの画質を調整する処理と、前記印刷データの代わりに前記前記画質を調整した印刷データを前記保管手段に保管することを特徴とする。
【００１３】
また、請求項６の発明は、請求項２の発明において、前記デジタルデータの内容に応じて前記印刷データおよび前記デジタルデータの代わりに前記印刷ジョブに関する履歴データを前記保管手段に保管することを特徴とする。
【００１４】
また、請求項７の発明は、請求項２の発明において、前記クライアントから再印刷の指示を受け付けた際に、前記保管手段から該再印刷が指示された前記印刷データおよび前記デジタルデータを取得する処理と、前記取得したデジタルデータに基づいて地紋画像を生成する処理と、前記生成した地紋画像および前記取得した印刷データに基づいて印刷ジョブを生成する処理とをコンピュータに動作させることを特徴とする。
【００１５】
また、請求項８の発明は、請求項７の発明において、前記再印刷の指示とともに前記デジタルデータの内容の変換の指示を受け付けた際に、前記取得したデジタルデータの内容を該変換の指示に従って変換する処理をコンピュータに動作させることを特徴とする。
【００１６】
また、請求項９の発明は、請求項７の発明において、前記取得したデジタルデータを暗号化する処理をコンピュータに動作させることを特徴とする。
【００１７】
また、請求項１０の発明は、請求項７の発明において、前記取得したデジタルデータの内容を解析する処理と、前記解析したデジタルデータの内容に応じて前記印刷データに対する禁止処理を実施する処理とをコンピュータに動作させることを特徴とする。
【００１８】
また、請求項１１の発明は、請求項１０の発明において、前記禁止処理は、前記印刷データの再印刷の禁止、該印刷データを不可読な状態で出力、該印刷データを一部不可読な状態で出力することであることを特徴とする。
【００１９】
また、請求項１２の発明は、請求項１０の発明において、前記再印刷を指示したユーザ毎に対応した禁止処理を実施する処理をコンピュータに動作させることを特徴とする。
【００２０】
また、請求項１３の発明は、請求項４または５または６または１０の発明において、前記デジタルデータの内容は、印刷禁止属性を示すものであることを特徴とする。
【００２１】
また、請求項１４の発明は、通信手段を介して接続するクライアントからの印刷ジョブを受け付ける受付手段と、前記受付手段で受け付けた印刷ジョブを前記通信手段を介して接続するプリンタに送信する印刷ジョブ送信手段と、前記印刷ジョブに含まれる印刷対象の印刷データに地紋画像が付加されている場合、該印刷データと地紋画像とを分離する分離手段と、前記分離手段で分離した印刷データおよび地紋画像を保管する保管手段とを具備することを特徴とする。
【００２２】
また、請求項１５の発明は、請求項１４の発明において、前記地紋画像がデジタルデータに解析可能な場合、該地紋画像から該デジタルデータを解析する地紋画像解析手段を更に具備し、前記保管手段は、前記地紋画像の代わりに前記地紋解析手段で解析したデジタルデータを保管することを特徴とする。
【００２３】
また、請求項１６の発明は、請求項１５の発明において、前記デジタルデータを暗号化する暗号化手段を更に具備し、前記保管手段は、前記デジタルデータの代わりに前記暗号化手段で暗号化したデジタルデータを保管することを特徴とする。
【００２４】
また、請求項１７の発明は、請求項１５の発明において、前記デジタルデータの内容に応じて該デジタルデータおよび前記印刷データの前記保管手段への保管を禁止する保管制御手段を更に具備することを特徴とする。
【００２５】
また、請求項１８の発明は、請求項１５の発明において、前記デジタルデータの内容に応じて前記印刷データの画質を調整する画質調整手段を更に具備し、前記保管手段は、前記印刷データの代わりに前記画質調整手段で前記画質を調整した印刷データを保管することを特徴とする。
【００２６】
また、請求項１９の発明は、請求項１５の発明において、前記保管手段は、前記デジタルデータの内容に応じて前記印刷データおよび前記デジタルデータの代わりに前記印刷ジョブに関する履歴データを保管することを特徴とする。
【００２７】
また、請求項２０の発明は、請求項１５の発明において、前記受付手段が前記クライアントから再印刷の指示を受け付けた際に、前記保管手段から該再印刷が指示された前記印刷データおよび前記デジタルデータを取得する取得手段と、前記取得手段で取得したデジタルデータに基づいて地紋画像を生成する地紋画像生成手段と、前記地紋画像生成手段で生成した地紋画像および前記取得手段で取得した印刷データに基づいて印刷ジョブを生成する印刷ジョブ生成手段とを更に具備することを特徴とする。
【００２８】
また、請求項２１の発明は、請求項２０の発明において、前記受付手段が前記再印刷の指示とともに前記デジタルデータの内容の変換の指示を受け付けた際に、前記取得手段で取得したデジタルデータの内容を該変換の指示に従って変換する変換手段を更に具備することを特徴とする。
【００２９】
また、請求項２２の発明は、請求項２０の発明において、前記取得手段で取得したデジタルデータを暗号化する暗号化手段を更に具備することを特徴とする。
【００３０】
また、請求項２３の発明は、請求項２０の発明において、前記取得手段で取得したデジタルデータの内容を解析するデジタルデータ解析手段と、前記デジタルデータ解析手段で解析したデジタルデータの内容に応じて前記印刷データに対する禁止処理を実施する禁止処理実施手段とを更に具備することを特徴とする。
【００３１】
また、請求項２４の発明は、請求項２３の発明において、前記禁止処理は、前記印刷データの再印刷の禁止、該印刷データを不可読な状態で出力、該印刷データを一部不可読な状態で出力することであることを特徴とする。
【００３２】
また、請求項２５の発明は、請求項２３の発明において、前記禁止処理実施手段は、前記再印刷を指示したユーザ毎に対応した禁止処理を実施することを特徴とする。
【００３３】
また、請求項２６の発明は、請求項１７または１８または１９または２３の発明において、前記デジタルデータの内容は、印刷禁止属性を示すものであることを特徴とする。
【発明の効果】
【００３４】
本発明によれば、地紋画像が付加された印刷データを保管する場合でも、記憶容量の節約が可能になるという効果を奏する。
【００３５】
更に、本発明によれば、再印刷を行なう場合でも、保管している印刷データのセキュリティレベルが保たれるため、地紋画像による牽制効果を保つことがかのうになるという効果を奏する。
【００３６】
更に、本発明によれば、保管している印刷データに対して個別のセキュリティレベルが設定できるため、地紋画像による牽制効果を保つことがかのうになるという効果を奏する。
【発明を実施するための最良の形態】
【００３７】
以下、本発明に係る印刷制御プログラムおよび装置の実施の形態について添付図面を参照して詳細に説明する。
【００３８】
図１は、本発明に係る印刷制御装置１の概略構成の一例を示す図である。
【００３９】
図１に示すように、印刷制御装置１はネットワーク等の通信回線を介してＰＣ等のクライアント２、プリンタ３と接続している。なお、図１ではクライアント２、プリンタ３ともに１台しか図示していないが、印刷制御装置１は複数のクライアント２、プリンタ３と接続が可能である。
【００４０】
印刷制御装置１は、クライアント２から印刷対象の印刷データと印刷パラメータとを含むプリンタ３に対する印刷処理要求（以後、印刷ジョブと称する）を受け付け、受け付けた印刷ジョブをプリンタ３に割り当てる印刷制御処理、当該印刷ジョブに含まれる印刷データを保管する保管処理、クライアント２から保管している印刷データの再印刷の指示を受け付けた際に、印刷データの再印刷をプリンタに実施させる再印刷処理を行う。
【００４１】
次に、図１を参照して印刷制御装置１の機能的な構成について説明する。
【００４２】
図１に示すように、印刷制御装置１は、受付部４、処理部５、印刷ジョブ送信制御部６、保管部７を具備して構成される。
【００４３】
受付部４は、クライアント２から送信されてきた印刷ジョブを受け付ける処理、または再印刷の指示を受け付ける処理を行う。
【００４４】
処理部５は、受付部４で受け付けた印刷ジョブに含まれる印刷データ等の保管処理を行い、または受付部４で受け付けた再印刷の指示に従って再印刷処理を行う。なお、上述の保管処理および再印刷処理の詳細な説明はついては後述にて詳細に説明する。
【００４５】
印刷ジョブ送信制御部６は、印刷ジョブをプリンタ３に送信する処理を行う。
【００４６】
保管部７は、印刷ジョブに含まれる印刷データ等の保管を行う。
【００４７】
次に、図２を参照して保管処理を行う際の処理部５の機能的な構成について説明する。
【００４８】
図２示すように、処理部５は、分離部８、地紋画像解析部９、暗号化部１０、画質調整部１１、保管制御部１２を具備して構成される。
【００４９】
分離部８は、プリンタ３を用いて印刷出力する際に印刷データの背景に地紋と呼ばれる画像（以後、地紋画像と称する）が印刷データに付加されている場合、印刷データと地紋画像とを分離する処理を行う。
【００５０】
地紋画像解析部９は、分離部８で印刷データと分離された地紋画像がデジタルデータに解析可能な場合、地紋画像からデジタルデータを解析する処理を行う。
【００５１】
暗号化部１０は、地紋画像解析部９で解析したデジタルデータを暗号化する処理を行う。
【００５２】
画質調整部１１は、分離部８で地紋画像と分離された印刷データの画質を調整（具体的には、印刷データの内容が不可読でありレイアウトのみ判別可能な程度の画質に落とす）する処理を行う。
【００５３】
保管制御部１２は、印刷データ、地紋画像およびデジタルデータの保管部７への保管制御を行う。
【００５４】
次に、図３を参照して再印刷処理を行う際の処理部の機能的な構成について説明する。
【００５５】
図３に示すように、処理部５は、取得部１３、デジタルデータ解析部１４、変換部１５、暗号化部１０、禁止処理部１６、地紋画像生成部１７、印刷ジョブ生成部１８を具備して構成される。
【００５６】
取得部１３は、再印刷を指示された印刷データおよび当該印刷データとともに保管されているデジタルデータ（または、地紋画像）を保管部７から取得する処理を行う。
【００５７】
デジタルデータ解析部１４は、取得部１３でデジタルデータを取得した場合、当該デジタルデータの内容を解析する処理を行う。
【００５８】
変換部１５は、クライアント２から再印刷の指示を受け付けるとともにデジタルデータの内容の変換の指示を受け付けた場合、保管部７から取得したデジタルデータの内容を指示に従って変換する処理を行う。
【００５９】
暗号化部１０は、保管部７から取得したデジタルデータ、または変換部１５で内容を変換したデジタルデータを暗号化する処理を行う。
【００６０】
禁止処理部１６は、デジタルデータ解析部１４で解析したデジタルデータの内容に応じて種々の禁止処理（具体的には、再印刷の禁止、不可読な出力、一部不可読な出力等）を行う。
【００６１】
地紋画像生成部１７は、デジタルデータに基づいて地紋画像を生成する処理を行う。
【００６２】
印刷ジョブ生成部１８は、再印刷を指示された印刷データおよび地紋画像に基づいて印刷ジョブを生成する処理を行う。
【００６３】
なお、上述した受付部４、処理部５（処理部５に含まれる分離部８、地紋画像解析部９、暗号化部１０、画質調整部１１、保管制御部１２、取得部１３、デジタルデータ解析部１４、変換部１５、禁止処理部１６、地紋画像生成部１７、印刷ジョブ生成部１８）、印刷ジョブ送信制御部６を機能として具備するプログラム（本発明に係る印刷制御プログラムに相当）を汎用のサーバ等にインストールした構成を適用することも可能である。
【００６４】
次に、印刷制御装置１が行う保管処理および再印刷処理について説明する。
【００６５】
図４は、印刷制御装置が行なう保管処理の流れを示すフローチャートである。
【００６６】
受付部がクライアントから再印刷指示を受け付けた場合（Ｓ４０１でＮＯかつＳ４０２でＹＥＳ）、図５に示すフローチャートに進む。なお、クライアントから受け付けたのが印刷ジョブまたは再印刷指示ではない場合（Ｓ４０１でＮＯかつＳ４０２でＮＯ）、処理を終了する。
【００６７】
また、受付部がクライアントから印刷ジョブを受け付けた場合（Ｓ４０１でＮＯ）、印刷ジョブ送信制御部が印刷ジョブをプリンタに送信し（Ｓ４０３）、印刷ジョブに含まれる印刷データに地紋画像が付加されているか否か確認し、地紋画像が付加されていない場合（Ｓ４０４でＮＯ）、Ｓ４０５に進み、また、地紋画像が付加されている場合（Ｓ４０４でＹＥＳ）、Ｓ４０６に進む。
【００６８】
地紋画像が付加されていない場合（Ｓ４０４でＮＯ）、保管制御部が印刷データを保管部に保管し（Ｓ４０５）、処理を終了する。
【００６９】
また、地紋画像が付加されている場合（Ｓ４０４でＹＥＳ）、分離部が印刷データと地紋画像とを分離し（Ｓ４０６）、地紋画像がデジタルデータに解析可能であるか否か確認し、地紋画像がデジタルデータに解析不可能である場合（Ｓ４０７でＮＯ）、Ｓ４０８に進み、また、地紋画像がデジタルデータに解析可能である場合（Ｓ４０７でＹＥＳ）、Ｓ４０９に進む。
【００７０】
地紋画像がデジタルデータに解析不可能である場合（Ｓ４０７でＮＯ）、保管制御部が印刷データと地紋画像とを別々に保管部に保管し（Ｓ４０８）、処理を終了する。
【００７１】
また、地紋画像がデジタルデータに解析可能である場合（Ｓ４０７でＹＥＳ）、地紋画像解析部が地紋画像からデジタルデータを解析し（Ｓ４０９）、デジタルデータの内容を解析し（Ｓ４１０）、解析したデジタルデータの内容に応じて印刷データの保管が禁止されているか否か確認し、印刷データの保管が禁止されている場合（Ｓ４１１でＹＥＳ）、Ｓ４１２に進み、また、印刷データの保管が禁止されていない場合（Ｓ４１１でＮＯ）、Ｓ４１５に進む。
【００７２】
印刷データの保管が禁止されている場合（Ｓ４１１でＹＥＳ）、デジタルデータの内容に応じて印刷ジョブに関する履歴データ（具体的には、印刷を指示したユーザ名、印刷実施時間、印刷データのタイトル等）の保管が禁止されているか否か確認し、履歴データの保管が禁止されていない場合（Ｓ４１２でＮＯ）、保管制御部が履歴データを保管部に保管し（Ｓ４１３）、処理を終了し、また、履歴データの保管が禁止されている場合（Ｓ４１２でＹＥＳ）、保管制御部は保管部に何も保管せずに（Ｓ４１４）、処理を終了する。
【００７３】
印刷データの保管が禁止されていない場合（Ｓ４１１でＮＯ）、デジタルデータの内容に応じてデジタルデータの暗号化が必要であるか否か確認し、デジタルデータの暗号化が必要である場合（Ｓ４１５でＹＥＳ）、暗号化部がデジタルデータを暗号化し（Ｓ４１６）、Ｓ４１７に進み、また、デジタルデータの暗号化が必要ない場合（Ｓ４１５でＮＯ）、Ｓ４１７に進む。
【００７４】
そして、デジタルデータの内容に応じて印刷データの画質調整が必要であるか否か確認し、印刷データの画質調整が必要である場合（Ｓ４１７でＹＥＳ）、画質調整部が印刷データの画質を調整し（Ｓ４１８）、Ｓ４１９に進み、また、印刷データの画質調整が必要ない場合（Ｓ４１７でＮＯ）、Ｓ４１９に進む。
【００７５】
そして、保管制御部がデジタルデータと印刷データとを別々に保管部に保管し（Ｓ４１９）、処理を終了する。
【００７６】
図５は、印刷制御装置が行なう再印刷処理の流れを示すフローチャートである。
【００７７】
図４に示すフローチャートのＳ４０２において受付部がクライアントから再印刷指示を受け付けた場合（Ｓ４０２でＹＥＳ）、取得部が保管部から再印刷が指示された印刷データを取得するとともにデジタルデータを取得した場合（Ｓ５０１でＹＥＳ）、Ｓ５０２に進み、また、取得部が印刷データを取得するとともに地紋画像を取得した（または、なにも取得しなかった）場合（Ｓ５０１でＮＯ）、Ｓ５０９に進む。
【００７８】
取得部が保管部から再印刷が指示された印刷データを取得するとともにデジタルデータを取得した場合（Ｓ５０１でＹＥＳ）、デジタルデータ解析部がデジタルデータの内容を解析し（Ｓ５０２）、解析したデジタルデータの内容に応じて禁止処理が必要であるか否か確認し、禁止処理が必要ない場合（Ｓ５０３でＮＯ）、Ｓ５０４に進み、また、禁止処理が必要である場合（Ｓ５０３でＹＥＳ）、Ｓ５１０に進む。
【００７９】
禁止処理が必要ない場合（Ｓ５０３でＮＯ）、再印刷の指示とともにデジタルデータの内容の変換が指示されているか否か確認し、変換指示がある場合（Ｓ５０４でＹＥＳ）、変換部がデジタルデータの内容を変換し（Ｓ５０５）、Ｓ５０６に進み、また、変換指示がない場合（Ｓ５０４でＮＯ）、Ｓ５０６に進む。
【００８０】
そして、デジタルデータの内容に応じてデジタルデータの暗号化が必要であるか否か確認し、暗号化が必要である場合（Ｓ５０６でＹＥＳ）、暗号化部がデジタルデータを暗号化し（Ｓ５０７）、Ｓ５０８に進み、また、暗号化が必要ない場合（Ｓ５０６でＮＯ）、Ｓ５０８に進む。
【００８１】
そして、地紋画像生成部がデジタルデータに基づいて地紋画像を生成し（Ｓ５０８）、Ｓ５０９に進む。
【００８２】
そして、印刷ジョブ生成部が印刷データおよび地紋画像に基づいて印刷ジョブを生成し（Ｓ５０９）、生成した印刷ジョブを印刷ジョブ送信制御部がプリンタに送信し（Ｓ５１０）、処理を終了する。
【００８３】
また、禁止処理が必要である場合（Ｓ５０３でＹＥＳ）、禁止処理部がデジタルデータの内容に応じて禁止処理を実施し（Ｓ５１１）、実施した禁止処理が再印刷の禁止である場合（Ｓ５１２でＹＥＳ）、処理を終了し、また、実施した禁止処理が再印刷の禁止ではない場合（Ｓ５１２でＮＯ）、Ｓ５０８に進み、地紋画像生成部がデジタルデータに基づいて地紋画像を生成し（Ｓ５０８）、禁止処理を実施した印刷データおよび地紋画像に基づいて印刷ジョブ生成部が印刷ジョブを生成し（Ｓ５０９）、生成した印刷ジョブを印刷ジョブ送信制御部がプリンタに送信し（Ｓ５１０）、処理を終了する。
【００８４】
次に、図６〜１１を参照して印刷制御装置１が行う保管処理の具体例について説明する。
【００８５】
図６に示すように、印刷データ１９に付加されている地紋画像２０がデジタルデータに解析不可能な場合、印刷制御装置１は印刷データと地紋画像とを別々に保管する。
【００８６】
図７に示すように、印刷データ１９に付加されている地紋画像２０がデジタルデータ２１に解析可能な場合、印刷制御装置１は印刷データ１９と地紋画像２０から解析したデジタルデータ２１（図では、「ＡＢＣＤＥＦＧＨ」）とを別々に保管し、地紋画像２０を破棄する。従って、地紋画像２０よりも容量が少ないデジタルデータ２１を保管することで、記憶容量の増大を防止することが可能になる。
【００８７】
図８に示すように、印刷データ１９に付加されている地紋画像２０から解析可能なデジタルデータ２１であり、デジタルデータ２１の内容に応じてデジタルデータ２１の暗号化が必要な場合、印刷制御装置１は印刷データ１９と暗号化したデジタルデータ２２（図では、「ＡＢＣＤＥＦＧＨ」を「ＦＪＡＫＳＤＪＡ」に暗号化）とを別々に保管し、地紋画像２０を破棄する。
【００８８】
図９に示すように、印刷データ１９に付加されている地紋画像２０から解析可能なデジタルデータ２１であり、デジタルデータ２１の内容がコピー禁止等の印刷禁止属性を示すものである場合、印刷制御装置１は印刷データ１９およびデジタルデータ２１の保管を行わずに破棄する（地紋画像２０も破棄する）。
【００８９】
図１０に示すように、印刷データ１９に付加されている地紋画像２０から解析可能なデジタルデータ２１であり、デジタルデータ２１の内容がコピー禁止等の印刷禁止属性を示すものである場合、印刷制御装置１は画質を調整（図では、印刷データ１９の内容が不可読でありレイアウトのみ判別可能な程度の画質に落とす）した印刷データ２３とデジタルデータ２１（なお、暗号化しても良い）とを別々に保管し、地紋画像２０を破棄する。
【００９０】
図１１に示すように、印刷データ１９に付加されている地紋画像２０から解析可能なデジタルデータ２１であり、デジタルデータ２１の内容がコピー禁止等の印刷禁止属性を示すものである場合、印刷制御装置１は印刷データ１９およびデジタルデータ２１の保管を行わずに破棄し（地紋画像２０も破棄する）、代わりに印刷ジョブに関する履歴データ２４（具体的には、印刷を指示したユーザ名、印刷実施時間、印刷データのタイトル等）を保管する。
【００９１】
従って、図８〜図１１に示す具体例によって、印刷データ１９の取り扱いに対して個別のセキュリティレベルの設定が可能になる。
【００９２】
次に、図１２〜１５を参照して印刷制御装置１が行う再印刷処理の具体例について説明する。
【００９３】
図１２に示すように、印刷制御装置１に印刷データ１９と地紋画像２０から解析したデジタルデータ２１（図では、「ＡＢＣＤＥＦＧＨ」）とが別々に保管されている際に、再印刷の指示を受け付けるとともにデジタルデータ２１の内容の変換の指示を受け付けた場合、印刷制御装置１はデジタルデータ２１の内容を変換（図では、「ＡＢＣＤＥＦＧＨ」から「ＳＴＵＶＷＸＹＺ」に変換したデジタルデータから生成した地紋画像２５を印刷データに付加）して再印刷を行なう。従って、ユーザは再印刷でも所望の内容の地紋画像２０を印刷データに付加することが可能になる。
【００９４】
図１３に示すように、印刷制御装置１に印刷データ１９と地紋画像２０から解析したデジタルデータ２１（図では、「ＡＢＣＤＥＦＧＨ」）とが別々に保管されている際に、再印刷の指示を受け付けたデジタルデータ２１の内容に応じてデジタルデータ２１の暗号化が必要な場合、印刷制御装置１はデジタルデータ２１を暗号化（図では、「ＡＢＣＤＥＦＧＨ」を「ＦＪＡＫＳＤＪＡ」に暗号化したデジタルデータから生成した地紋画像２６を印刷データ１９に付加）して再印刷を行う。
【００９５】
図１４に示すように、印刷制御装置１に印刷データ１９と地紋画像２０から解析したデジタルデータ２１（図では、「コピー禁止」）とが別々に保管されている際に、デジタルデータ２１の内容がコピー禁止等の印刷禁止属性を示すものである場合、印刷制御装置１は種々の禁止処理を行う。図では、再印刷の禁止、不可読な出力、一部不可読な出力を行っている。
【００９６】
図１５に示すように、印刷制御装置１に印刷データ１９と地紋画像２０から解析したデジタルデータ２１（図では、「コピー禁止」）とが別々に保管されている際に、デジタルデータ２１の内容がコピー禁止等の印刷禁止属性を示すものである場合、印刷制御装置１は再印刷を指示したユーザ毎に対応した禁止処理を行う。図では、ユーザＡの再印刷の指示に対して再印刷の禁止を行い、ユーザＢの再印刷の指示に対して不可読な出力を行い、ユーザＣの再印刷の指示に対して一部不可読な出力を行っている。
【００９７】
従って、図１３〜図１５に示す具体例によって、再印刷を行なう場合でも元のセキュリティレベルを保つことが可能になる。
【００９８】
本発明は、上記し、且つ図面に示した実施例に限定することなく、その要旨を変更しない範囲内で適宜変形して実施できるものである。
【図面の簡単な説明】
【００９９】
【図１】本発明に係る印刷制御装置の概略構成の一例を示す図である。
【図２】保管処理を行う際の処理部の機能的な構成の一例を示す図である。
【図３】際印刷処理を行う際の処理部の機能的な構成の一例を示す図である。
【図４】印刷制御装置が行なう保管処理の流れを示すフローチャートである。
【図５】印刷制御装置が行なう再印刷処理の流れを示すフローチャートである。
【図６】印刷制御装置が行う保管処理の具体例について説明する図である。
【図７】印刷制御装置が行う保管処理の具体例について説明する図である。
【図８】印刷制御装置が行う保管処理の具体例について説明する図である。
【図９】印刷制御装置が行う保管処理の具体例について説明する図である。
【図１０】印刷制御装置が行う保管処理の具体例について説明する図である。
【図１１】印刷制御装置が行う保管処理の具体例について説明する図である。
【図１２】印刷制御装置が行う再印刷処理の具体例について説明する図である。
【図１３】印刷制御装置が行う再印刷処理の具体例について説明する図である。
【図１４】印刷制御装置が行う再印刷処理の具体例について説明する図である。
【図１５】印刷制御装置が行う再印刷処理の具体例について説明する図である。
【符号の説明】
【０１００】
１    印刷制御装置
２    クライアント
３    プリンタ
４    受付部
５    処理部
６    印刷ジョブ送信制御部
７    保管部
８    分離部
９    地紋画像解析部
１０    暗号化部
１１    画質調整部
１２    保管制御部
１３    取得部
１４    デジタルデータ解析部
１５    変換部
１６    禁止処理部
１７    地紋画像生成部
１８    印刷ジョブ生成部
１９    印刷データ
２０    地紋画像
２１    デジタルデータ
２２    暗号化したデジタルデータ
２３    画質を調整した印刷データ
２４    履歴データ
２５    変換したデジタルデータから生成した地紋画像
２６    暗号化したデジタルデータから生成した地紋画像
【図１】
2008146458.tif 000003
【図２】
2008146458.tif 000004
【図３】
2008146458.tif 000005
【図４】
2008146458.tif 000006
【図５】
2008146458.tif 000007
【図６】
2008146458.tif 000008
【図７】
2008146458.tif 000009
【図８】
2008146458.tif 000010
【図９】
2008146458.tif 000011
【図１０】
2008146458.tif 000012
【図１１】
2008146458.tif 000013
【図１２】
2008146458.tif 000014
【図１３】
2008146458.tif 000015
【図１４】
2008146458.tif 000016
【図１５】
2008146458.tif 000017